(57)【要約】      （修正有）【課題】鋼板材よりなり、耐久性が高く、長期の利用が可能で、あらゆる方向に対する優れた滑り止め効果を持つ平坦な梨地状模様部からなる滑止部を形成した滑止部材が配設された階段を提供する。【解決手段】鉄板材の上面に凹凸模様を刻設した圧延ロールによって凹凸模様を転写し、その後平坦なロールによって前記凹凸模様を矯正して平坦な梨地状模様部２６からなる滑止部２５を形成した滑止部材１２を少なくとも踏み面の前端部に配設したもので、前記滑止部材の梨地部の高さは０．２〜１．０ｍｍで、縦、横の大きさは１０ｍｍ以下が好ましい。【選択図】図２
0003146996.tif 000002
【実用新案登録請求の範囲】
【請求項１】
鋼板材の上面に凹凸模様を刻設した圧延ロールによって凹凸模様を転写した後平坦なロールによって前記凹凸模様を矯正して平坦な梨地状模様部からなる滑止部を形成した滑止部材を少なくとも踏み面の前端部に配設したことを特徴とする階段。
【請求項２】
前記滑止部材の梨地状模様部の梨地部の高さ（ｔ）が０．２〜１．０ｍｍ、好ましくは０．４〜０．６ｍｍの範囲にある請求項１に記載の階段。
【請求項３】
前記滑止部材の梨地状模様部の梨地部の縦（Ｙ）、横（Ｘ）の大きさが１０ｍｍ以下、好ましくは５ｍｍ以下である請求項１又は２に記載の階段。
【請求項４】
前記滑止部材が踏み面の前端部に帯状に固設された請求項１ないし３のいずれか１項に記載の階段。
【請求項５】
前記滑止部材が踏み面の前端部に断面Ｌ字状に固設された請求項１ないし３のいずれか１項に記載の階段。
【請求項６】
前記滑止部材が踏み面の前端部に固定部材を介して固設された請求項１ないし５のいずれか１項に記載の階段。
【請求項７】
前記滑止部材が踏み面の前端部にアンカー部を介して一体に固設された請求項１ないし５のいずれか１項に記載の階段。
【請求項８】
前記階段がグレーチングである請求項１ないし７のいずれか１項に記載の階段。
【考案の詳細な説明】
【技術分野】
【０００１】
本考案は、滑り止め効果を有する階段の改良に関する。
【背景技術】
【０００２】
例えば、コンクリートや金属製からなる階段には、雨や水や砂等による滑りを防止するために、階段の踏み面の前端部に滑止部材を取り付けることが行われている。滑止部材は、軟性又は硬性の合成樹脂板材の表面の横方向に線状の凹凸部を形成したものが広く一般に用いられている（特許文献１参照）。
【０００３】
しかしながら、合成樹脂製の滑止部材を用いた従来の階段では、滑止部材の摩耗が激しく、長期的に滑り止め効果を持続させることは難しい。とりわけ人通りの多い階段では、損耗が激しく外観性にも劣る。さらには、横方向の線状凹凸部を形成した従来のものでは、横滑りに対する滑り止め効果が低く安全性を欠くおそれがあった。
【特許文献１】特開２００５−１５５１８５号公報
【考案の開示】
【考案が解決しようとする課題】
【０００４】
本考案は前記の点に鑑みなされたものであり、鋼板材よりなり、耐久性が高く、長期の利用が可能で、あらゆる方向に対する優れた滑り止め効果を持つ平坦な梨地状模様部からなる滑止部を形成した滑止部材が配設された階段を提供するものである。
【課題を解決するための手段】
【０００５】
すなわち、請求項１の考案は、鋼板材の上面に凹凸模様を刻設した圧延ロールによって凹凸模様を転写した後平坦なロールによって前記凹凸模様を矯正して平坦な梨地状模様部からなる滑止部を形成した滑止部材を少なくとも踏み面の前端部に配設したことを特徴とする階段に係る。
【０００６】
請求項２の考案は、前記滑止部材の梨地状模様部の梨地部の高さ（ｔ）が０．２〜１．０ｍｍ、好ましくは０．４〜０．６ｍｍの範囲にある請求項１に記載の階段に係る。
【０００７】
請求項３の考案は、前記滑止部材の梨地状模様部の梨地部の縦（Ｙ）、横（Ｘ）の大きさが１０ｍｍ以下、好ましくは５ｍｍ以下である請求項１又は２に記載の階段に係る。
【０００８】
請求項４の考案は、前記滑止部材が踏み面の前端部に帯状に固設された請求項１ないし３のいずれか１項に記載の階段に係る。
【０００９】
請求項５の考案は、前記滑止部材が踏み面の前端部に断面Ｌ字状に固設された請求項１ないし３のいずれか１項に記載の階段に係る。
【００１０】
請求項６の考案は、前記滑止部材が踏み面の前端部に固定部材を介して固設された請求項１ないし５のいずれか１項に記載の階段に係る。
【００１１】
請求項７の考案は、前記滑止部材が踏み面の前端部にアンカー部を介して一体に固設された請求項１ないし５のいずれか１項に記載の階段に係る。
【００１２】
請求項８の考案は、前記階段がグレーチングである請求項１ないし７のいずれか１項に記載の階段に係る。
【考案の効果】
【００１３】
請求項１の考案に係る階段によれば、鋼板材の上面に凹凸模様を刻設した圧延ロールによって凹凸模様を転写した後平坦なロールによって前記凹凸模様を矯正して平坦な梨地状模様部からなる滑止部を形成した滑止部材を少なくとも踏み面の前端部に配設したことを特徴とするものであるから、耐久性が高く、長期の利用が可能で、あらゆる方向に対する優れた滑り止め効果を有する。
【００１４】
請求項２の考案は、請求項１において、前記滑止部材の梨地状模様部の梨地部の高さ（ｔ）が０．２〜１．０ｍｍ、好ましくは０．４〜０．６ｍｍの範囲にあるものであるから、梨地部の凹凸によって、歩行者が安全に歩行可能な滑り止め効果を有する。
【００１５】
請求項３の考案は、請求項１又は２において、前記滑止部材の梨地状模様部の梨地部の縦（Ｙ）、横（Ｘ）の大きさが１０ｍｍ以下、好ましくは５ｍｍ以下であるものであるから、摩擦係数がより高くなり、歩行者の安全が確保されると共に、見た目に美しい梨地状模様が得られる。
【００１６】
請求項４の考案は、請求項１ないし３に記載の階段において、前記滑止部材が踏み面の前端部に帯状に固設されたものであるから、簡単な構成によって滑り止め効果を得ることができると共に、容易に取付を行うことができる。
【００１７】
請求項５の考案は、請求項１ないし３のいずれか１項に記載の階段において、前記滑止部材が踏み面の前端部に断面Ｌ字状に固設されたものであるから、簡単な構成によってより確実な滑り止め効果を得ることができると共に、容易に取付を行うことができる。
【００１８】
請求項６の考案は、請求項１ないし５のいずれか１項に記載の階段において、前記滑止部材が踏み面の前端部に固定部材を介して固設されたものであるから、従来公知の取付部材によって取付を行うことができ、作業時間の短縮、さらには簡易な構成での設置が可能である。
【００１９】
請求項７の考案は、請求項１ないし５のいずれか１項に記載の階段において、前記滑止部材が踏み面の前端部にアンカー部を介して一体に固設されたものであるから、より確実で安定した固着が可能である。また、製造も容易で経済的である。
【００２０】
請求項８の考案は、請求項１ないし７のいずれか１項に記載の階段において、前記階段がグレーチングであるから、本来滑りやすいグレーチングの階段でも、歩行者の安全を確保することができる。
【考案を実施するための最良の形態】
【００２１】
以下添付の図面に従ってこの考案を詳細に説明する。
図１は階段の踏み面前端部に滑止部材が帯状に配設された実施例を表す斜視図、図２はネジ等のための取付穴が形成された帯状の滑止部材を表す斜視図、図３は階段前端部に断面Ｌ字状の滑止部材が配設された実施例を表す斜視図、図４はネジ等のための取付穴が形成された断面Ｌ字状の滑止部材を表す斜視図、図５は帯状の滑止部材を表す斜視図、図６は断面Ｌ字状の滑止部材を表す斜視図、図７は滑止部材の梨地状模様部の梨地部の高さ（ｔ）を表す図、図８は同じく梨地部の縦（Ｙ）と横（Ｘ）を表す図、図９はアンカー部となる丸鋼が溶着された滑止部材を表す斜視図、図１０はアンカー部となるＴ字鋼が溶着された滑止部材を表す斜視図、図１１はグレーチングの階段に帯状に滑止部材が固設された状態を表す斜視図、図１２はグレーチングの階段に断面Ｌ字形の滑止部材が固設された状態を表す斜視図である。
【００２２】
図１は、帯状の鋼板材２０よりなる滑止部材１２を固定部材４０、例えばネジ４１で階段の踏み面の前端部に固設した実施例である階段Ｓ１を表している。図２に示すように、滑止部材１２は上面に平坦な梨地状模様部２６からなる滑止部２５が形成されており、固定部材４０を通すためのネジ穴部３０が形成されている。歩行者が躓かないよう固定部材４０の頭と滑止部材１２の天面が、同一平面を構成するよう、滑止部材１２に形成されるネジ穴部３０には面取り加工が施されている。階段Ｓ１は、滑止部材１２が固定部材４０によって固設されるため、接着剤等を用いて階段に設置したものに比べてズレが少なく、耐久性に優れている。また、設置作業の簡略化、短時間化も可能であり、経済的である。
【００２３】
図３は、断面Ｌ字状の鋼板材２１よりなる滑止部材１３を固定部材４０、例えばネジ４１で階段の踏み面の前端部に固設した実施例である階段Ｓ２を表している。図４に示すように、滑止部材１３は上面に平坦な梨地状模様部２６からなる滑止部２５が形成されており、固定部材４０を通すためのネジ穴部３０が形成されており、帯状に固定される階段Ｓ１と同様に、鋼板材２１の天面と固定部材４０の頭が、同一平面を構成するよう、ネジ穴部３０は面取り加工されている。滑止部材１３は断面Ｌ字状に形成されているので、滑止部材１３のずれや変形が少なく耐久性に優れ長期における設置が可能である。
【００２４】
図５，６に示し、請求項１又は４及び５に記載したように、この考案の階段に配設される滑止部材１０，１１は、鋼板材２０，２１の上面に以下述べる工程で形成された梨地状模様部２６からなる滑止部２５を有する。すなわち、滑止部材１０，１１は、鋼板材のスラブ表面をプロパン炎等の炎によってスカーフィングすることで、スラブ表面に生じた傷や不純物を溶削した後、粗圧機で幅出し圧延し、この幅出し圧延された仕掛板を複数の仕上げ圧延機によって圧延し、所定の規格寸法にする。最後の仕上げ圧延機の圧延ロールの表面には、凹凸模様の刻み目を入れた転写ロールを配置し、鉄板の片面に凹凸模様部を転写形成する。次いで、平坦なロールを備えた熱間矯正機の間を通すことによって平坦な梨地状模様部から成る滑止部を作成する。鋼板材の板厚は、この種部材に使用されるものとして一般には３ｍｍ、４．５ｍｍ、６ｍｍ、９ｍｍ等があるが、本実施形態では滑り止め効果を得るという目的のため、３ｍｍ厚の鋼板材を採用し、これを滑止部材１０，１１とした。滑止部材１０，１１は、天面が無数の凹凸で覆われ、全方向への滑り止め効果を有する。
【００２５】
図７及び図８に示すように、この滑止部材１０，１１の滑止部２５を形成する梨地状模様部２６の梨地部２７の高さ（ｔ）は、０．２ｍｍ〜１．０ｍｍ、好ましくは０．４ｍｍ〜０．６ｍｍの範囲にあり、十分な滑り止め効果が確保できると共に、歩行者が転んだ場合にも皮膚が削れる等の怪我をすることはない。また、梨地部２７の大きさは、小さい程外観に優れ、縦（Ｙ）、横（Ｘ）それぞれが１０ｍｍ以下、特に５ｍｍ以下に設定することで美しい梨地状模様を得ることができ、さらには、摩擦係数を高めることになり、より高い滑り止め効果が期待される。また、鋼鉄製であることから、頑強であり、人通りが多い場所でも、摩耗が少なく滑り止め効果の長期持続が可能である。
【００２６】
図９の滑止部材１４は、鋼板材２１の裏面側にアンカー部５０となるコンクリート埋没固定用の丸鋼５１が溶接によって溶着されている。階段固設時に、丸鋼５１をコンクリートに埋没することにより、滑止部材１４は、簡単な構成で限りなく安定に固定することができ、ズレなどが生じることなく、耐久性に優れている。さらには、製造が容易で経済的である。ここで、丸鋼５１は、異形鉄筋を利用し、そのふしの高さ、間隔、軸線とのなす角度、隙間の合計等を、規格により付着性や疲労特性を考慮して選ばれる。また、図示しないが、一本の丸鋼５１を使用するのではなく、鋼板材に短い丸鋼を一定間隔毎に溶接してもよい。
【００２７】
図１０の滑止部材１５は、鋼板材２０の裏面側にアンカー部５０となるコンクリート埋没固定用のＴ字鋼５２が溶接によって溶着された例である。Ｔ字鋼５２は受部６０の大きさを適宜決定することができる。
【００２８】
アンカー部５０が形成された階段用滑止部材にあっては、後付の滑止部材に比べ、コンクリートが固定するまでの期間を待つことなく設置が可能で、作業時間の短縮が可能となる。さらには、接着剤等を使うことなく、安定した設置が可能である。また、アンカー部５０の構成は図示するものに限定されるものではなく、その形態を適宜変更することができる。例えば、丸鋼５１やＴ字鋼５２ではなく、Ｌ字鋼を溶接しアンカー部５０とすることも可能である。
【００２９】
図１１及び図１２に示し、請求項８に記載したように、階段面がグレーチングＧである階段の前端部に滑止部材２０，２１を装着することもできる。滑止部材２０，２１はグレーチングＧと同様の鋼鉄製であることから、装着した場合にも強度の面で劣ることはなく、景観を損なうことはない。また、雨天時に歩行者が滑って転ぶ危険性が特に高くなるグレーチングの階段においても、簡易な構成で十分な滑り止め効果を得ることができる。
【００３０】
なお、本考案の階段は、前述の実施例のみに限定されるものではなく、考案の趣旨を逸脱しない範囲において構成の一部を適宜に変更して実施することができる。例えば、車椅子又はベビーカー等が通行可能なスロープ等に、滑止部材２０を一定間隔毎に配設することで、車輪が滑る危険性を減少させることができる。
【図面の簡単な説明】
【００３１】
【図１】階段の踏み面前端部に滑止部材が帯状に配設された実施例を表す斜視図である。
【図２】ネジ等のための取付穴が形成された帯状の滑止部材を表す斜視図である。
【図３】階段の踏み面前端部に断面Ｌ字状の滑止部材が配設された実施例を表す斜視図である。
【図４】ネジ等のための取付穴が形成された断面Ｌ字状の滑止部材を表す斜視図である。
【図５】帯状の滑止部材を表す斜視図である。
【図６】帯状の滑止部材を表す斜視図である。
【図７】滑止部材の梨地状模様部の梨地部の高さ（ｔ）を表す図である。
【図８】同じく梨地部の縦（Ｙ）と横（Ｘ）を表す図である。
【図９】アンカー部となる丸鋼が溶着された滑止部材を表す斜視図である。
【図１０】アンカー部となるＴ字鋼が溶着された滑止部材を表す斜視図である。
【図１１】グレーチングの階段に帯状に滑止部材が固設された状態を表す斜視図である。
【図１２】グレーチングの階段に断面Ｌ字形の滑止部材が固設された状態を表す斜視図である。
【符号の説明】
【００３２】
１０，１１，１２，１３  滑止部材
２０、２１  鋼板材
２５  滑止部
２６  梨地状模様部
２７  梨地部
３０  ネジ穴
４０  固定部材
５０  アンカー部
Ｇ  グレーチング
Ｓ  階段
【図１】
0003146996.tif 000003
【図２】
0003146996.tif 000004
【図３】
0003146996.tif 000005
【図４】
0003146996.tif 000006
【図５】
0003146996.tif 000007
【図６】
0003146996.tif 000008
【図７】
0003146996.tif 000009
【図８】
0003146996.tif 000010
【図９】
0003146996.tif 000011
【図１０】
0003146996.tif 000012
【図１１】
0003146996.tif 000013
【図１２】
0003146996.tif 000014